(57)【特許請求の範囲】
【請求項１】
当該通信端末を収容する移動通信網が輻輳状態にあるか否かを示す情報を受信する受信手段と、
前記受信手段により受信された最新の情報が、前記移動通信網が輻輳状態であることを示している場合には、周期的位置登録のために当該移動通信網へ周期的に送信する位置登録要求信号の送信タイミングを、当該輻輳状態が解消されるまで延期する変更手段とを具備し、
前記送信タイミングを延期することが可能な猶予期間が設定されており、
前記変更手段は、前記猶予期間に含まれる範囲内で前記送信タイミングを変更する
ことを特徴とする通信端末。
【請求項２】
前記変更手段は、前記猶予期間に含まれる範囲内で、前記輻輳状態が解消されるまで前記送信タイミングを延期し、前記猶予期間内に前記輻輳状態が解消されなかった場合には、当該猶予期間が経過した時点を前記位置登録要求信号の送信タイミングとする
ことを特徴とする請求項１記載の通信端末。
【請求項３】
通信端末と基地局制御装置とを備え、
前記基地局制御装置は、
各基地局における無線チャネルの使用率を示す無線チャネル使用率情報と、前記通信端末を収容する移動通信網の通信量であって、前記基地局における無線チャネルの使用率を除いた通信量によって作成される網トラフィック情報とを受信する第１の受信手段と、
前記第１の受信手段によって受信された前記網トラフィック情報が、前記移動通信網の通信量が通信を規制しなければならないレベルに達していることを示している場合、又は、当該第１の受信手段によって受信された前記無線チャネル使用率情報が、前記無線チャネルの使用率が予め定められた使用率を超えていることを示している場合には、前記移動通信網が輻輳状態であることを示す情報を各基地局に送信する送信手段とを有し、
前記通信端末は、
前記送信手段から送信された前記移動通信網が輻輳状態にあるか否かを示す情報を前記基地局から受信する第２の受信手段と、
前記第２の受信手段により受信された最新の情報が、前記移動通信網が輻輳状態であることを示している場合には、周期的位置登録のために当該移動通信網へ周期的に送信する位置登録要求信号の送信タイミングを、当該輻輳状態が解消されるまで延期する変更手段とを有し、
前記変更手段は、前記送信タイミングを延期することが可能な期間として設定されている猶予期間に含まれる範囲内で前記送信タイミングを変更する
ことを特徴とする通信システム。
【請求項４】
移動通信網の管理装置が当該移動通信網における通信量を検出する第１の過程と、
前記管理装置が、前記第１の過程にて検出された通信量から前記移動通信網が輻輳状態にあるか否かを判別し、判別結果を前記移動通信網に収容される通信端末に通知する第２の過程と、
前記通信端末において、前記第２の過程にて通知された最新の判別結果が、前記移動通信網が輻輳状態であることを示している場合には、周期的位置登録のために当該移動通信網へ周期的に送信する位置登録要求信号の送信タイミングを、当該輻輳状態が解消されるまで延期する第３の過程とを具備し、
前記第３の過程では、前記通信端末が、前記送信タイミングを延期することが可能な期間として設定されている猶予期間に含まれる範囲内で前記送信タイミングを変更する
ことを特徴とする位置登録制御方法。
【発明の詳細な説明】
【技術分野】
【０００１】
この発明は、移動通信網に収容される通信端末の位置登録を周期的に行う技術に関する。
【背景技術】
【０００２】
地局や交換機などの設備を有する移動通信網と、当該移動通信網に収容される携帯電話機などの移動機とを有する移動通信システムでは、通信サービスエリアが複数のロケーションエリアによって構成されている。このような移動通信システムにおける移動通信網は、移動機に対する着呼要求などに備え、通信サービスエリア内における各移動機が各々どのロケーションエリアに在圏しているのかを把握しておく必要がある。このため、移動通信網は、移動機からの位置登録要求に応じて、各移動機毎に当該移動機が在圏しているロケーションエリアの識別情報を登録する、いわゆる位置登録処理を行っている。
【０００３】
この位置登録処理において移動機は、例えば、自機の電源が投入されたことを検出した場合や、自機が他のロケーションエリアに移動したことを検出した場合に、位置登録要求信号を移動通信網に送信する。また、この他に移動機は、電源が投入されている期間においては、たとえ同一のロケーションエリアに在圏し続けている場合であっても、同一ロケーションエリアに在圏し続けていることを通知するために、所定の周期毎に位置登録要求信号を移動通信網に送信している。
【発明の開示】
【発明が解決しようとする課題】
【０００４】
ところで、上述した位置登録処理のうち周期的に行われる位置登録処理の場合、移動機は、あらかじめ定められた固定周期に従って位置登録要求信号を移動通信網に送信していた。したがって、移動通信網が輻輳状態にある場合であっても、移動機は、事前に定められた周期に従って位置登録要求信号を移動通信網に送信してしまう。以上のようなことから周期的な位置登録は、輻輳状態にある移動通信網のトラフィックをさらに増加させてしまうおそれがあった。
【０００５】
本発明は、以上説明した事情に鑑みてなされたものであり、移動通信網におけるトラフィックの集中を回避することができる仕組みを提供することを目的としている。
【課題を解決するための手段】
【０００６】
上述した課題を解決するために、本発明は、当該通信端末を収容する移動通信網が輻輳状態にあるか否かを示す情報を受信する受信手段と、前記受信手段により受信された最新の情報が、前記移動通信網が輻輳状態であることを示している場合には、周期的位置登録のために当該移動通信網へ周期的に送信する位置登録要求信号の送信タイミングを、当該輻輳状態が解消されるまで延期する変更手段とを具備し、前記送信タイミングを延期することが可能な猶予期間が設定されており、前記変更手段は、前記猶予期間に含まれる範囲内で前記送信タイミングを変更することを特徴とする通信端末を提供する。
本発明に係る通信端末において、前記変更手段は、前記猶予期間に含まれる範囲内で、前記輻輳状態が解消されるまで前記送信タイミングを延期し、前記猶予期間内に前記輻輳状態が解消されなかった場合には、当該猶予期間が経過した時点を前記位置登録要求信号の送信タイミングとしてもよい。
また、本発明は、通信端末と基地局制御装置とを備え、前記基地局制御装置は、各基地局における無線チャネルの使用率を示す無線チャネル使用率情報と、前記通信端末を収容する移動通信網の通信量であって、前記基地局における無線チャネルの使用率を除いた通信量によって作成される網トラフィック情報とを受信する第１の受信手段と、前記第１の受信手段によって受信された前記網トラフィック情報が、前記移動通信網の通信量が通信を規制しなければならないレベルに達していることを示している場合、又は、当該第１の受信手段によって受信された前記無線チャネル使用率情報が、前記無線チャネルの使用率が予め定められた使用率を超えていることを示している場合には、前記移動通信網が輻輳状態であることを示す情報を各基地局に送信する送信手段とを有し、前記通信端末は、前記送信手段から送信された前記移動通信網が輻輳状態にあるか否かを示す情報を前記基地局から受信する第２の受信手段と、前記第２の受信手段により受信された最新の情報が、前記移動通信網が輻輳状態であることを示している場合には、周期的位置登録のために当該移動通信網へ周期的に送信する位置登録要求信号の送信タイミングを、当該輻輳状態が解消されるまで延期する変更手段とを有し、前記変更手段は、前記送信タイミングを延期することが可能な期間として設定されている猶予期間に含まれる範囲内で前記送信タイミングを変更することを特徴とする通信システムを提供する。
また、本発明は、移動通信網の管理装置が当該移動通信網における通信量を検出する第１の過程と、前記管理装置が、前記第１の過程にて検出された通信量から前記移動通信網が輻輳状態にあるか否かを判別し、判別結果を前記移動通信網に収容される通信端末に通知する第２の過程と、前記通信端末において、前記第２の過程にて通知された最新の判別結果が、前記移動通信網が輻輳状態であることを示している場合には、周期的位置登録のために当該移動通信網へ周期的に送信する位置登録要求信号の送信タイミングを、当該輻輳状態が解消されるまで延期する第３の過程とを具備し、前記第３の過程では、前記通信端末が、前記送信タイミングを延期することが可能な期間として設定されている猶予期間に含まれる範囲内で前記送信タイミングを変更することを特徴とする位置登録制御方法を提供する。
【発明の効果】
【００２６】
本発明によれば、移動通信網におけるトラフィックの集中を回避させることができる。
【発明を実施するための最良の形態】
【００２７】
以下、図面を参照して本発明の実施形態について説明する。なお、各図において共通する部分には、同一の符号が付されている。また、かかる実施形態は本発明の一態様を示すものであり、この発明を限定するものではなく、本発明の範囲で任意に変更可能である。
【００２８】
［Ａ．第１実施形態］
［Ａ−１．実施形態の構成］
＜１．移動通信システムの構成＞
図１は、この発明の第１実施形態に係る管理サーバ３０および携帯電話機６０を含む移動通信システム１の構成を例示するブロック図である。同図に示されるように、移動通信システム１は、移動通信網１０と、この移動通信網１０に収容される複数の携帯電話機６０とを有する。
【００２９】
また、移動通信網１０は、ロケーションレジスタ（以下、ＬＲと略称する）２０と、管理サーバ３０と、複数の交換機４１を有する交換ネットワーク４０と、複数の基地局５０とを有する。この移動通信網１０は、当該移動通信網１０の通信サービスエリア内に在圏する各携帯電話機６０に対して通話サービスあるいはパケット通信サービスを提供する。
【００３０】
なお、図１においては図面が煩雑になることを防ぐために、交換ネットワーク４０を構成する所定の交換機４１、交換機４１に接続された所定の基地局５０および移動通信網１０に収容される所定の携帯電話機６０のみが示されている。
【００３１】
次に、図１に示された各装置について説明する。
ＬＲ２０は、図示せぬホームメモリを有する。このＬＲ２０は、サービス加入者の所持する各携帯電話機６０が通信サービスエリアを構成する多数のロケーションエリアのうち、各々どのロケーションエリアに在圏しているのかを示す情報（在圏エリア情報）をホームメモリに記憶させることで位置登録を行う。
【００３２】
ＬＲ２０は、交換ネットワーク４０を介して携帯電話機６０から送信されてくる位置登録要求信号を受信する。この位置登録要求信号には、送信元の携帯電話機６０を一意に特定する端末ＩＤと、当該携帯電話機６０が在圏しているロケーションエリアを一意に特定するエリアＩＤとが含まれており、ＬＲ２０は、端末ＩＤに対応させてロケーションエリアのエリアＩＤをホームメモリに登録する。
【００３３】
なお、端末ＩＤは、例えば、携帯電話機６０の電話番号やＩＰアドレスなどである。また、エリアＩＤは、例えば、交換ネットワーク４０を構成する各交換機４１の交換機ＩＤなどである。
【００３４】
管理サーバ３０は、各携帯電話機６０の位置登録に関する制御や、移動通信網１０における通信量（トラフィック）の検出などを行う。なお、「移動通信網１０の通信量」についての具体的な内容は後述する。
【００３５】
交換ネットワーク４０は、複数の交換機４１を接続したネットワークである。また、各交換機４１は、１ないし複数の基地局５０と接続されている。これらの各交換機４１は、当該交換機４１がカバーするロケーションエリア内、すなわち、当該交換機４１に接続された各基地局５０がカバーする無線エリア内に在圏する各携帯電話機６０からの発呼要求や、これらの各携帯電話機６０に対する着呼要求に応じて、呼接続処理などを行う。なお、ロケーションエリアは、１ないし複数の交換機４１によりカバーされている。また、各交換機４１は、各々がカバーするロケーションエリアのエリアＩＤを記憶している。
【００３６】
各基地局５０は、移動通信網１０の通信サービスエリア内に多数設置されており、各々の無線エリアに在圏する携帯電話機６０と無線通信を行う。
【００３７】
携帯電話機６０は、自機が在圏する無線エリアをカバーする基地局５０と無線通信を行い、通話サービスあるいはパケット通信サービスを受ける移動機である。この携帯電話機６０は、例えば、自機の電源が投入されたことを検出した場合や、自機が他のロケーションエリアに移動したことを検出した場合に、位置登録を要求する無線信号を基地局５０に送信する。また、携帯電話機６０は、自機の電源が投入されている期間においては、たとえ同一のロケーションエリアに在圏し続けている場合であっても、周期的に位置登録を要求する無線信号を基地局５０に送信する。
【００３８】
なお、以降、本明細書においては、自機の電源が投入された場合や、自機が他のロケーションエリアに移動した場合に行われる位置登録を除いた位置登録、すなわち、周期的に行われる位置登録を「周期的位置登録」と記載する。
【００３９】
＜２．管理サーバの構成＞
図２は、図１に示された管理サーバ３０のハードウェア構成を例示するブロック図である。同図に示されるように、管理サーバ３０は、メモリ３０１と、通信インタフェース３０２と、ＬＲ用インタフェース３０３と、ＣＰＵ（Central Processing Unit）３０４とを有し、これらの各部はバス３０５によって接続されている。
【００４０】
メモリ３０１には、ＣＰＵ３０４によって実行される各種プログラムなどが格納されている。また、このメモリ３０１は、周期情報格納テーブル３０１ａを有する。この周期情報格納テーブル３０１ａには、図３に示されるように、周期的位置登録用の周期情報が格納されている。
【００４１】
同図に示されるように、周期情報格納テーブル３０１ａには、基本周期情報Ｔ１と最大周期情報Ｔ２とが格納されている。ここで、基本周期情報Ｔ１は、周期的位置登録の基本周期を示す情報であって、携帯電話機６０が基地局５０に対して位置登録要求信号を送信する基本送信周期を示すものである。また、最大周期情報Ｔ２は、周期的位置登録の許容最大周期を示す情報である。この最大周期情報Ｔ２は、携帯電話機６０において基本周期情報Ｔ１に基づいて位置登録要求信号を基地局５０に送信するタイミングになったとき、移動通信網１０が輻輳状態にある場合にはその送信タイミングを予め設定された猶予期間だけ延期可能に制御するために用いられる。この最大周期情報Ｔ２の値は、基本周期情報Ｔ１の値に猶予期間の値を加算した値となる。
【００４２】
例えば、同図に示されるように、基本周期情報Ｔ１が６０［min］であって、最大周期情報Ｔ２が７０［min］である場合は、周期的位置登録が基本的に６０分周期で行われ、例外的に１０分の猶予が与えられることとなる。すなわち、位置登録要求信号を送信してから６０分が経過し、携帯電話機６０において位置登録要求信号を送信するタイミングになったときに移動通信網１０が輻輳状態にある場合は、６０分以降、７０分未満までの計１０分の期間に限り、携帯電話機６０は、位置登録要求信号の送信タイミングを移動通信網１０の輻輳状態が解消されるまで延期することができる。なお、１０分間の間に移動通信網１０の輻輳状態が解消されなかった場合、携帯電話機６０は、７０分が経過した時点で移動通信網１０における輻輳状態の有無に係らず位置登録要求信号を基地局５０に送信する。
【００４３】
図２に戻り、通信インタフェース３０２は、当該管理サーバ３０と交換ネットワーク４０を構成する各交換機４１との間で行われるデータ通信を制御する回路である。また、ＬＲ用インタフェース３０３は、当該管理サーバ３０がＬＲ２０にアクセスする場合のデータプロトコルなどを変換する回路である。
【００４４】
ＣＰＵ３０４は、メモリ３０１に格納されている各種プログラムを実行することにより、バス３０５を介して接続されている装置各部を制御する。このＣＰＵ３０４は、本実施形態に特有な処理として網情報送信処理（図７参照）を実行し、移動通信網１０における通信量を検出してトラフィック情報を生成する。また、ＣＰＵ３０４は、トラフィック情報、基本周期情報Ｔ１、最大周期情報Ｔ２などを通信インタフェース３０２を介して交換ネットワーク４０の各交換機４１に送信する。
【００４５】
なお、この管理サーバ３０において検出される移動通信網１０の通信量は、より具体的に説明すると、交換ネットワーク４０における通信量、当該管理サーバ３０に対するアクセス量、各基地局５０において無線通信に使用されている使用無線チャネルの占有率などに基づいて検出される。
【００４６】
また、本実施形態において移動通信網１０の通信量に基づいて生成されるトラフィック情報は、“０”または“１”の１ビットのデータである。ここで、トラフィック情報が“１”の場合は、移動通信網１０における通信量が、通信を規制して当該通信量を抑制しなければならないレベルに達していること、すなわち、移動通信網１０が輻輳状態にあることを示している。また、トラフィック情報が“０”の場合は、移動通信網１０における通信量が通信を規制しなければならないレベルまで達していないこと、すなわち、移動通信網１０が輻輳状態にないことを示している。
【００４７】
＜３．交換機の構成＞
図４は、図１に示された交換機４１のハードウェア構成を例示するブロック図である。同図に示されるように、交換機４１は、メモリ４１１と、通信インタフェース４１２と、ＣＰＵ４１３とを有し、これらの各部はバス４１４によって接続されている。
【００４８】
メモリ４１１には、ＣＰＵ４１３によって実行される各種プログラムなどが格納されている。また、このメモリ４１１は、エリアＩＤ格納領域４１１ａを有する。このエリアＩＤ格納領域４１１ａには、当該交換機４１がカバーするロケーションエリアのエリアＩＤが格納されている。さらに、このメモリ４１１は、ＣＰＵ４１３のワークエリアとして用いられ、例えば、管理サーバ３０から受信したトラフィック情報、基本周期情報Ｔ１、最大周期情報Ｔ２などが一時的に格納される。
【００４９】
通信インタフェース４１２は、当該交換機４１と、ＬＲ２０や管理サーバ３０、各基地局５０、他の交換機４１との間で行われるデータ通信を制御する回路である。
【００５０】
ＣＰＵ４１３は、メモリ４１１に格納されている各種プログラムを実行することにより、バス４１４を介して接続されている装置各部を制御する。このＣＰＵ４１３は、エリアＩＤ格納領域４１１ａに格納されているロケーションエリアのエリアＩＤを当該交換機４１に接続された各基地局５０に送信する。また、ＣＰＵ４１３は、管理サーバ３０から受信したトラフィック情報、基本周期情報Ｔ１、最大周期情報Ｔ２を当該交換機４１に接続された各基地局５０に送信する。また、ＣＰＵ４１３は、携帯電話機６０から基地局５０を介して送信されてくる位置登録要求信号をＬＲ２０に送信する。
【００５１】
＜４．基地局の構成＞
図５は、図１に示された基地局５０のハードウェア構成を例示するブロック図である。同図に示されるように、基地局５０は、メモリ５０１と、通信インタフェース５０２と、無線通信部５０３と、ＣＰＵ５０４とを有し、これらの各部はバス５０５によって接続されている。
【００５２】
メモリ５０１には、ＣＰＵ５０４によって実行される各種プログラムなどが格納されている。また、このメモリ５０１は、ＣＰＵ５０４のワークエリアとして用いられ、例えば、交換機４１から受信したトラフィック情報、基本周期情報Ｔ１、最大周期情報Ｔ２、エリアＩＤなどが一時的に格納される。
【００５３】
通信インタフェース５０２は、当該基地局５０と交換機４１との間で行われるデータ通信を制御する回路である。
【００５４】
無線通信部５０３は、アンテナ５０３ａを備え、携帯電話機６０との間で行われる無線データ通信を制御する。この無線通信部５０３は、ＣＰＵ５０４の制御の下、交換機４１から受信したトラフィック情報、基本周期情報Ｔ１、最大周期情報Ｔ２、エリアＩＤなどを含んだ制御信号を生成する。制御信号は、基地局５０と携帯電話機６０との間で制御チャネル（ＣＣＨ）を利用して間欠的に送受信される無線信号であり、移動通信網１０と各携帯電話機６０との間で位置登録を含む各種制御用の信号や情報などを送受信するために用いられる。また、無線通信部５０３は、通話用の音声データあるいはパケットデータなどを送信するための無線信号を生成する。そして、無線通信部５０３は、生成したこれらの信号をアンテナ５０３ａを介して携帯電話機６０に送信する。
【００５５】
さらに、無線通信部５０３は、携帯電話機６０から送られてくる制御信号をアンテナ５０３ａを介して受信し、この制御信号を復調して位置登録要求信号などを得る。また、無線通信部５０３は、通話用の音声データあるいはパケットデータなどが含まれている無線信号を受信し、これを復調して音声データあるいはパケットデータを得る。
【００５６】
ＣＰＵ５０４は、メモリ５０１に格納されている各種プログラムを実行することにより、バス５０５を介して接続されている装置各部を制御する。このＣＰＵ５０４は、本実施形態に特有な処理として制御信号送信処理（図８参照）および制御信号受信処理（図１０参照）を実行し、無線通信部５０３を介して携帯電話機６０との間で制御信号を送受信する。
【００５７】
＜５．携帯電話機の構成＞
図６は、図１に示された携帯電話機６０のハードウェア構成を例示するブロック図である。同図に示されるように、携帯電話機６０は、無線通信部６０１と、操作部６０２と、通話処理部６０３と、表示部６０４と、記憶部６０５と、ＣＰＵ６０９とを有し、これらの各部はバス６１０によって接続されている。
【００５８】
無線通信部６０１は、アンテナ６０１ａを備え、基地局５０との間で行われる無線データ通信を制御する。この無線通信部６０１は、ＣＰＵ６０９の制御の下、位置登録要求信号を含んだ制御信号を生成する。また、無線通信部６０１は、通話用の音声データあるいはパケットデータなどを送信するための無線信号を生成する。そして、無線通信部６０１は、生成したこれらの信号をアンテナ６０１ａを介して基地局５０に送信する。
【００５９】
さらに、無線通信部６０１は、基地局５０から送られてくる制御信号をアンテナ６０１ａを介して受信し、この制御信号を復調してトラフィック情報、基本周期情報Ｔ１、最大周期情報Ｔ２、エリアＩＤなどを得る。また、無線通信部６０１は、通話用の音声データあるいはパケットデータなどが含まれている無線信号を受信し、これを復調して音声データあるいはパケットデータを得る。
【００６０】
操作部６０２は、数字や文字、操作指示などを入力するための複数のキーを備え、これらのキーの操作に応じた操作信号をＣＰＵ６０９に出力する。通話処理部６０３は、例えば、マイクロフォンやスピーカ、音声処理部などを有し、ＣＰＵ６０９の制御の下、呼接続／切断処理を含む通話処理を行う。表示部６０４は、液晶表示パネルと、この液晶表示パネルの表示制御を行う駆動回路とを有する。
【００６１】
記憶部６０５は、ＲＯＭ（Read Only Memory）６０６と、ＲＡＭ（Random Access Memory）６０７と、例えば、ＳＲＡＭ（Static−RAM）やＥＥＰＲＯＭ（Electrically Erasable Programmable Read Only Memory）などの不揮発性メモリ６０８とを有する。
【００６２】
ＲＯＭ６０６には、ＣＰＵ６０９によって実行される各種プログラムなどが格納されている。また、ＲＡＭ６０７は、ＣＰＵ６０９のワークエリアとして用いられ、例えば、基地局５０から受信したトラフィック情報、基本周期情報Ｔ１、最大周期情報Ｔ２、エリアＩＤなどが一時的に格納される。
【００６３】
不揮発性メモリ６０８は、端末ＩＤ格納領域６０８ａと、在圏エリアＩＤ格納領域６０８ｂとを有する。この端末ＩＤ格納領域６０８ａには、当該携帯電話機６０の端末ＩＤが、例えば、この携帯電話機６０の購入時に書き込まれる。また、在圏エリアＩＤ格納領域６０８ｂには、基地局５０から受信した当該携帯電話機６０が在圏するロケーションエリアのエリアＩＤが格納される。
【００６４】
ＣＰＵ６０９は、記憶部６０５に格納されている各種プログラムを実行することにより、バス６１０を介して接続されている装置各部を制御する。また、ＣＰＵ６０９は、時間を計時するタイマ機能を有する。このＣＰＵ６０９は、本実施形態に特有な処理として周期的位置登録処理（図９参照）を実行し、自機の電源が投入された場合や、自機が他のロケーションエリアに移動した場合以外の期間において、当該携帯電話機６０が周期的に位置登録要求信号を基地局５０に送信するように制御する。
以上が本実施形態に係る移動通信システム１の構成である。
【００６５】
［Ａ−２．実施形態の動作］
次に、本実施形態の動作について説明する。
＜１．網情報送信処理＞
図７は、管理サーバ３０においてＣＰＵ３０４により実行される網情報送信処理の動作を説明するフローチャートである。この網情報送信処理は、タイマ割り込みなどによってＣＰＵ３０４により定期的に開始される。
【００６６】
同図に示されるように、まず、ＣＰＵ３０４は、移動通信網１０の通信量を検出する処理を行う（ステップＳ１０１）。このステップＳ１０１の処理に先立って、ＣＰＵ３０４は、交換ネットワーク４０における通信量を検出する処理や、当該管理サーバ３０に対するアクセス量を検出する処理、各基地局５０から送られてくる使用無線チャネルの占有率情報を受信する処理などを実行しており、これらの処理結果や受信情報がメモリ３０１に格納されている。ＣＰＵ３０４は、上記ステップＳ１０１において、メモリ３０１に格納されているこれらの処理結果や受信情報に基づいて移動通信網１０の通信量を算出する。
【００６７】
次いで、ＣＰＵ３０４は、算出された通信量の値と予め用意されたしきい値の値とを比較してトラフィック情報を決定する（ステップＳ１０２）。すなわち、ＣＰＵ３０４は、算出された通信量の値がしきい値の値以上であって、移動通信網１０が輻輳状態にあると判別した場合は、トラフィック情報の値を“１”にセットする。また、ＣＰＵ３０４は、算出された通信量の値がしきい値の値よりも小さく、移動通信網１０が輻輳状態にないと判別した場合は、トラフィック情報の値を“０”にセットする。
【００６８】
この後、ＣＰＵ３０４は、周期情報格納テーブル３０１ａから基本周期情報Ｔ１および最大周期情報Ｔ２を読み出す（ステップＳ１０３）。そして、ＣＰＵ３０４は、基本周期情報Ｔ１および最大周期情報Ｔ２と、上記ステップＳ１０２において決定されたトラフィック情報とを通信インタフェース３０２を介して交換ネットワーク４０を構成する各交換機４１に送信し（ステップＳ１０４）、網情報送信処理を終了する。
【００６９】
各交換機４１は、管理サーバ３０からトラフィック情報、基本周期情報Ｔ１および最大周期情報Ｔ２を受信すると、これらの情報を当該交換機４１に接続された各基地局５０に送信する。また、各交換機４１は、エリアＩＤ格納領域４１１ａに格納されているロケーションエリアのエリアＩＤを当該交換機４１に接続された各基地局５０に送信する。
【００７０】
＜２．制御信号送信処理＞
次に、図８は、基地局５０においてＣＰＵ５０４により実行される制御信号送信処理の動作を説明するフローチャートである。この制御信号送信処理は、タイマ割り込みなどによってＣＰＵ５０４により定期的に開始される。
【００７１】
同図に示されるように、まず、ＣＰＵ５０４は、交換機４１からトラフィック情報、基本周期情報Ｔ１、最大周期情報Ｔ２、エリアＩＤを受信したか否かを判別し（ステップＳ２０１）、これらの情報を受信していない場合は、ステップＳ２０３に移行する。また、ＣＰＵ５０４は、トラフィック情報、基本周期情報Ｔ１、最大周期情報Ｔ２、エリアＩＤを受信したと判別した場合は、これらの情報をメモリ５０１に格納する（ステップＳ２０２）。
【００７２】
次いで、ＣＰＵ５０４は、制御信号の送信タイミングに到達したか否かを判別する（ステップＳ２０３）。但し、ここで制御信号の送信タイミングとは、送信する制御信号の生成に要する時間を含めたタイミングを指す。ＣＰＵ５０４は、制御信号の送信タイミングに到達したと判別した場合は、メモリ５０１に格納されている最新のトラフィック情報、基本周期情報Ｔ１、最大周期情報Ｔ２、エリアＩＤを読み出して、制御信号の送信を指示するコマンドとともに無線通信部５０３に送る（ステップＳ２０４）。
【００７３】
これに応じて無線通信部５０３は、まず、ＣＰＵ５０４によって送られてきたトラフィック情報、基本周期情報Ｔ１、最大周期情報Ｔ２、エリアＩＤを報知情報として含んだ制御信号を生成する。ここで、報知情報は、制御チャネル内の報知チャネル（ＢＣＣＨ）に含まれる情報である。また、報知チャネルは、無線エリア内の各携帯電話機６０に対して制御情報を報知するための基地局５０から各携帯電話機６０への片方向型チャネルである。
【００７４】
そして、無線通信部５０３は、生成した制御信号をアンテナ５０３ａを介して無線エリア内の各携帯電話機６０に送信する。また、この後、無線通信部５０３は、制御信号の送信を終えたことを示す送信完了通知をＣＰＵ５０４に送る。そして、ＣＰＵ５０４は、無線通信部５０３から送信完了通知を受け取ると（ステップＳ２０５）、制御信号送信処理を終了する。
【００７５】
＜３．周期的位置登録処理＞
次に、図９は、携帯電話機６０においてＣＰＵ６０９により実行される周期的位置登録処理の動作を説明するフローチャートである。この周期的位置登録処理は、携帯電話機６０の電源投入または携帯電話機６０が他のロケーションエリアに移動したことに伴う位置登録処理を完了した後、ＣＰＵ６０９によって開始される。
【００７６】
同図に示されるように、まず、ＣＰＵ６０９は、無線通信部６０１が基地局５０からの制御信号を受信すると（ステップＳ３０１）、無線通信部６０１において復号された制御信号に含まれているトラフィック情報、基本周期情報Ｔ１、最大周期情報Ｔ２、エリアＩＤを取得する（ステップＳ３０２）。そして、ＣＰＵ６０９は、トラフィック情報、基本周期情報Ｔ１、最大周期情報Ｔ２をＲＡＭ６０７のワークエリアに格納する。また、ＣＰＵ６０９は、エリアＩＤを在圏エリアＩＤ格納領域６０８ｂに格納する。
【００７７】
次いで、ＣＰＵ６０９は、タイマのカウント値をリセットした後（ステップＳ３０３）、タイマのカウントを開始させる（ステップＳ３０４）。そして、ＣＰＵ６０９は、タイマのカウント値がＲＡＭ６０７に格納された基本周期情報Ｔ１に基づくカウント値に到達したか否かを判別する（ステップＳ３０５）。
【００７８】
ＣＰＵ６０９は、タイマのカウント値が基本周期情報Ｔ１に基づくカウント値に到達したと判別した場合、すなわち、周期的位置登録を行うために当該携帯電話機６０から位置登録要求信号を基地局５０に送信するタイミングになったと判別した場合は、ＲＡＭ６０７に格納された最新のトラフィック情報を取得する（ステップＳ３０６）。
【００７９】
次いで、ＣＰＵ６０９は、このトラフィック情報の値が“１”であるか否か、すなわち、移動通信網１０が輻輳状態にあるか否かを判別する（ステップＳ３０７）。ＣＰＵ６０９は、トラフィック情報の値が“０”であり、移動通信網１０が輻輳状態にないと判別した場合は（ステップＳ３０７：Ｎｏ）、ステップＳ３０８の処理に移行する。
【００８０】
そして、ステップＳ３０８においてＣＰＵ６０９は、不揮発性メモリ６０８の端末ＩＤ格納領域６０８ａから自機の端末ＩＤを読み出すとともに、在圏エリアＩＤ格納領域６０８ｂからエリアＩＤを読み出す。そして、ＣＰＵ６０９は、これらの端末ＩＤおよびエリアＩＤと、位置登録要求信号の送信を指示するコマンドとを無線通信部６０１に送る（ステップＳ３０８）。これに応じて無線通信部６０１は、受け取った端末ＩＤおよびエリアＩＤを含んだ位置登録要求信号を個別セル用情報として含んだ制御信号を生成する。ここで、個別セル用情報は、制御チャネル内の個別セル用チャネル（ＳＣＣＨ）に含まれる情報である。また、個別セル用チャネルとは、基地局５０と携帯電話機６０との間で制御情報の授受を行うための双方向型チャネルである。
【００８１】
そして、無線通信部６０１は、生成した制御信号をアンテナ６０１ａを介して基地局５０に送信する。また、この後、無線通信部６０１は、送信完了通知をＣＰＵ６０９に送る。ＣＰＵ６０９は、無線通信部６０１から送信完了通知を受け取ると（ステップＳ３０９）、上記ステップＳ３０１に戻り、周期的位置登録処理を繰り返す。
【００８２】
一方、ＣＰＵ６０９は、上記ステップＳ３０７において、トラフィック情報の値が“１”であると判別した場合、すなわち、現在、移動通信網１０が輻輳状態にあると判別した場合は（ステップＳ３０７：Ｙｅｓ）、次いで、タイマのカウント値がＲＡＭ６０７に格納された最大周期情報Ｔ２に基づくカウント値に到達したか否かを判別する（ステップＳ３１０）。
【００８３】
そして、ＣＰＵ６０９は、タイマのカウント値が最大周期情報Ｔ２に基づくカウント値に到達していないと判別した場合、すなわち、移動通信網１０が輻輳状態にあり、かつ、基本周期情報Ｔ１以上であって最大周期情報Ｔ２未満の期間である場合は（ステップＳ３１０：Ｎｏ）、再度、移動通信網１０の通信量を確認するために、上記ステップＳ３０６に戻る。
【００８４】
また、ＣＰＵ６０９は、上記ステップＳ３１０において、タイマのカウント値が最大周期情報Ｔ２に基づくカウント値に到達したと判別した場合は（ステップＳ３１０：Ｙｅｓ）、移動通信網１０における輻輳状態の有無に係らずステップＳ３０８に移行して、無線通信部６０１から位置登録要求信号を含んだ制御信号を基地局５０に送信させる。
【００８５】
ここで、例えば、図３に示されたように、基本周期情報Ｔ１が６０［min］であって、最大周期情報Ｔ２が７０［min］であった場合の具体例について説明する。この場合、携帯電話機６０においては、基本的に６０分周期で位置登録要求信号を含んだ制御信号が基地局５０に送信されることとなる。
【００８６】
ＣＰＵ６０９は、周期的位置登録のための位置登録要求信号を基地局５０に送信するタイミングになったと判別した場合に、移動通信網１０が輻輳状態にあるか否かを判別する（ステップＳ３０７）。そして、ＣＰＵ６０９は、移動通信網１０が輻輳状態にないと判別した場合は（ステップＳ３０７：Ｎｏ）、直ちに無線通信部６０１から位置登録要求信号を含んだ制御信号を基地局５０に送信させる。
【００８７】
また、ＣＰＵ６０９は、移動通信網１０が輻輳状態にあると判別した場合は（ステップＳ３０７：Ｙｅｓ）、６０分以降、７０分未満までの計１０分の期間に限り、位置登録要求信号の送信タイミングを移動通信網１０の輻輳状態が解消されるまで延期することができる。なお、１０分間の間に移動通信網１０の輻輳状態が解消されなかった場合、ＣＰＵ６０９は、タイマのカウント値が７０分に達した時点で、無線通信部６０１から位置登録要求信号を含んだ制御信号を基地局５０に送信させる。
【００８８】
＜４．制御信号受信処理＞
図１０は、基地局５０においてＣＰＵ５０４により実行される制御信号受信処理の動作を説明するフローチャートである。この制御信号受信処理は、タイマ割り込みなどによってＣＰＵ５０４により定期的に開始される。
【００８９】
同図に示されるように、まず、ＣＰＵ５０４は、無線通信部５０３が携帯電話機６０からの制御信号を受信したか否かを判別し（ステップＳ４０１）、制御信号を受信していない場合は、制御信号受信処理を終了する。
【００９０】
また、ＣＰＵ５０４は、無線通信部５０３が制御信号を受信したと判別した場合は、無線通信部５０３において復号された制御信号に位置登録要求信号が含まれているか否かを判別する（ステップＳ４０２）。そして、ＣＰＵ５０４は、位置登録要求信号が含まれていないと判別した場合は、制御信号の受信に関するその他の処理を実行した後（ステップＳ４０３）、制御信号受信処理を終了する。
【００９１】
また、ＣＰＵ５０４は、無線通信部５０３において受信および復号した制御信号に位置登録要求信号が含まれていると判別した場合は、端末ＩＤおよびエリアＩＤを含んだ当該位置登録要求信号を通信インタフェース５０２を介して交換機４１に送信する（ステップＳ４０４）。
【００９２】
交換機４１は、基地局５０から位置登録要求信号を受信すると、この位置登録要求信号をＬＲ２０に送信する。これに応じてＬＲ２０は、位置登録要求信号に含まれている端末ＩＤおよびエリアＩＤに従って、ホームメモリに格納されている該当する携帯電話機６０の在圏エリアＩＤを更新する。この後、ＬＲ２０は、要求された位置登録が完了したことを示す登録完了通知を基地局５０に対して返信する。
【００９３】
基地局５０のＣＰＵ５０４は、ＬＲ２０から交換機４１を介して登録完了通知を受信すると（ステップＳ４０５）、周期的位置登録を行った携帯電話機６０に対して、登録完了通知を含んだ制御信号を無線通信部５０３を介して送信する（ステップＳ４０６）。そして、この後、ＣＰＵ５０４は、制御信号受信処理を終了する。
【００９４】
以上説明したように本実施形態によれば、携帯電話機６０は、管理サーバ３０から送られてくるトラフィック情報に応じて、周期的位置登録のための位置登録要求信号の送信タイミングを予め設定された猶予期間だけ延期することができる。したがって、移動通信網１０が輻輳状態にある場合において、当該移動通信網１０に収容される各携帯電話機６０からの周期的位置登録を要求する無線信号の送信を極力抑え、移動通信網１０におけるトラフィックの集中を回避させることができる。
【００９５】
［Ｂ．第２実施形態］
上記第１実施形態では、周期的位置登録の基本周期情報Ｔ１および最大周期情報Ｔ２が固定値である場合について説明した。本実施形態では、移動通信網１０における通信量に応じて周期的位置登録の基本周期情報Ｔ１および最大周期情報Ｔ２を可変制御する場合について説明する。
【００９６】
なお、本実施形態に係る移動通信システムは、図１に示された構成と同様の構成により実現される。したがって、特に示さない限り、本実施形態における各装置は、第１実施形態と同様の構成を有し、同様の動作を行うものとする。また、本実施形態において、上記第１実施形態と共通する部分については同一の符号を使用するものとする。また、上記第１実施形態と共通する部分についてはその説明を省略するものとする。
【００９７】
［Ｂ−１．実施形態の構成］
本実施形態では、移動通信網１０における通信量に応じて周期的位置登録の基本周期情報Ｔ１および最大周期情報Ｔ２を可変制御するため、管理サーバ３１は、図１１に示すハードウェア構成を有している。ここで、同図に示されるように、本実施形態に係る管理サーバ３１はメモリ７０１を有し、このメモリ７０１は、周期情報格納テーブル７０１ａと、時間帯管理テーブル７０１ｂと、曜日管理テーブル７０１ｃとを有する。
【００９８】
周期情報格納テーブル７０１ａには、図１２に示されるように、各モードナンバー毎に、基本周期情報Ｔ１と最大周期情報Ｔ２とが格納されている。基本周期情報Ｔ１および最大周期情報Ｔ２の役割は、上記第１実施形態と同様である。但し、各モードナンバー毎に格納されている基本周期情報Ｔ１および最大周期情報Ｔ２の値は、モードナンバーの値がより大きな値になるほど、より大きな時間値となっている。
【００９９】
また、時間帯管理テーブル７０１ｂには、図１３に示されるように、１日の各時間帯毎に、使用する基本周期情報Ｔ１および最大周期情報Ｔ２を指定するためのモードナンバーが格納されている。さらに、曜日管理テーブル７０１ｃには、図１４に示されるように、曜日毎に、モードナンバーの値を補正するモード加算値が格納されている。
【０１００】
この時間帯管理テーブル７０１ｂおよび曜日管理テーブル７０１ｃは、サービス事業者が時間帯や曜日に応じた移動通信網１０の通信量を統計的に測定して作成したものであり、時間帯や曜日に応じて周期的位置登録の基本周期情報Ｔ１および最大周期情報Ｔ２を変更するために用いられる。本実施形態において管理サーバ３０は、上述した周期情報格納テーブル３０１ａ、時間帯管理テーブル７０１ｂおよび曜日管理テーブル７０１ｃを用いて、周期的位置登録の基本周期情報Ｔ１および最大周期情報Ｔ２を可変制御する。この可変制御の具体的な方法については、後述する周期決定処理（図１５参照）において詳細に説明する。
【０１０１】
図１１に戻り、ＣＰＵ３０４は、メモリ７０１に格納されている各種プログラムを実行することにより、バス３０５を介して接続されている装置各部を制御する。また、このＣＰＵ３０４は、現在時刻を計時するタイマ機能や、現在の曜日や月日を把握するためのカレンダー機能を有している。
【０１０２】
このＣＰＵ３０４は、本実施形態に特有な処理として周期決定処理（図１５参照）を実行し、時刻や曜日などに応じて周期的位置登録の基本周期情報Ｔ１および最大周期情報Ｔ２を可変制御する。また、ＣＰＵ３０４は、可変制御の結果、決定した基本周期情報Ｔ１および最大周期情報Ｔ２を通信インタフェース３０２を介して各交換機４１に送信する。
【０１０３】
［Ｂ−２．実施形態の動作］
以下、本実施形態の動作について説明する。
なお、本実施形態において、基地局５０で実行される制御信号送信処理および制御信号受信処理、携帯電話機６０で実行される周期的位置登録処理については、上記第１実施形態において述べた各処理と同様であるため説明を省略するものとする。ここでは、上記第１実施形態と異なる周期決定処理についてのみ説明を行う。
【０１０４】
図１５は、管理サーバ３１においてＣＰＵ３０４により実行される周期決定処理処理の動作を説明するフローチャートである。この周期決定処理は、上記第１実施形態において述べた網情報送信処理（図７参照）の代わりに管理サーバ３１において実行される。また、この周期決定処理は、タイマ割り込みなどによってＣＰＵ３０４により定期的に開始される。
【０１０５】
同図に示されるように、まず、ＣＰＵ３０４は、タイマ機能によって計時されている現在時刻を取得する（ステップＴ１０１）。次いで、ＣＰＵ３０４は、取得した現在時刻情報に従ってメモリ７０１内の時間帯管理テーブル７０１ｂを参照し、モードナンバーを取得する（ステップＴ１０２）。
【０１０６】
例えば、ＣＰＵ３０４は、現在時刻が“0：15 ”である場合は、図１３に示された時間帯管理テーブル７０１ｂを参照してモードナンバー“１”を取得する。但し、管理サーバ３０から周期的位置登録の基本周期情報Ｔ１および最大周期情報Ｔ２が送信され、携帯電話機６０においてこの周期情報に応じて位置登録要求信号を送信するタイミングが訪れるのは、例えば、基本周期情報Ｔ１が４０分であったとすると、最低でも４０分以上先のこととなる。
【０１０７】
以上の点を考慮して、時間帯管理テーブル７０１ｂを構築する際には、「時間帯」欄に格納される時刻情報を最低でも基本周期情報Ｔ１の時間分だけ先の時刻としてモードナンバーとの対応関係を設定しておく必要がある。
【０１０８】
次いで、ＣＰＵ３０４は、カレンダー機能を用いて現在の曜日情報を取得する（ステップＴ１０３）。そして、ＣＰＵ３０４は、取得した曜日情報に従ってメモリ７０１内の曜日管理テーブル７０１ｃを参照し、モード加算値を取得する（ステップＴ１０４）。この後、ＣＰＵ３０４は、取得したモード加算値に従って、上記ステップＴ１０２において取得したモードナンバーの値を補正する（ステップＴ１０５）。
【０１０９】
例えば、カレンダー機能を用いて取得した現在の曜日情報が“月曜日”であった場合、ＣＰＵ３０４は、図１４に示された曜日管理テーブル７０１ｃを参照してモード加算値“＋１”を取得する。そして、ＣＰＵ３０４は、上記ステップＴ１０２において取得したモードナンバーの値が“１”であった場合、このモードナンバーの値“１”をモード加算値“＋１”により補正し、モードナンバー“２”を取得する。
【０１１０】
次いで、ＣＰＵ３０４は、周期情報格納テーブル７０１ａを参照し、上記ステップＴ１０５において補正されたモードナンバーの値に対応する基本周期情報Ｔ１および最大周期情報Ｔ２を取得する（ステップＴ１０６）。例えば、上記ステップＴ１０５において補正されたモードナンバーの値が“２”であった場合、ＣＰＵ３０４は、図１２に示された周期情報格納テーブル７０１ａを参照し、基本周期情報Ｔ１“６０”および最大周期情報Ｔ２“７０”を取得する。
【０１１１】
この後、ＣＰＵ３０４は、移動通信網１０における通信量を検出する（ステップＴ１０７）。また、ＣＰＵ３０４は、検出した通信量の値に応じてトラフィック情報を決定する（ステップＴ１０８）。これらのステップＴ１０７およびＴ１０８の処理は、上記第１実施形態において述べた網情報送信処理（図７参照）のステップＳ１０１およびＳ１０２の処理と同様であるので説明を省略する。
【０１１２】
そして、ＣＰＵ３０４は、上記ステップＴ１０６において取得した基本周期情報Ｔ１および最大周期情報Ｔ２と、トラフィック情報とを通信インタフェース３０２を介して各交換機４１に送信し（ステップＴ１０９）、周期決定処理を終了する。
【０１１３】
この周期決定処理により、管理サーバ３１において時刻や曜日に応じて決定された周期的位置登録の基本周期情報Ｔ１および最大周期情報Ｔ２は、交換機４１を介して基地局５０に送信され、基地局５０において実行される制御信号送信処理により、通信サービスエリア内の各携帯電話機６０に送信される。そして、各携帯電話機６０は、基地局５０から受信した基本周期情報Ｔ１および最大周期情報Ｔ２に応じた周期で、周期的位置登録のための位置登録要求信号を含んだ制御信号を基地局５０に送信する。
【０１１４】
以上説明したように本実施形態によれば、管理サーバ３１は、時刻や曜日などに応じて周期的位置登録の基本周期情報Ｔ１および最大周期情報Ｔ２を可変制御する。また、携帯電話機６０は、管理サーバ３１から送られてくる基本周期情報Ｔ１および最大周期情報Ｔ２に応じた周期で周期的位置登録のための位置登録要求信号を基地局５０に送信する。
【０１１５】
したがって、移動通信システム１では、周期的位置登録の周期を時間帯や曜日に応じて変更することができる。これにより、例えば、移動通信網１０が輻輳状態になると予測される期間では、当該移動通信網１０に収容される各携帯電話機６０において、周期的位置登録を要求する無線信号の送信周期をより大きな時間幅に設定することができる。つまり、輻輳状態が予測される期間において、移動通信網１０におけるトラフィックの集中を回避させることができる。
【０１１６】
また、輻輳状態に到らない場合であっても、移動通信網１０の通信量が多い場合に、当該移動通信網１０に収容される各携帯電話機６０からの周期的位置登録のための位置登録要求信号の送信を極力抑え、移動通信網１０におけるトラフィックの集中を回避させることができる。これにより、例えば、移動通信網１０における通信量が多い場合に、周期的位置登録以外の、よりリアルタイム性の高い処理、あるいはより重要度の高い処理に関する通信を移動通信網１０において優先して行わせることができる。
【０１１７】
なお、本実施形態において管理サーバ３１は、さらに、祝日や月末などの情報を考慮して周期的位置登録の基本周期情報Ｔ１および最大周期情報Ｔ２を可変制御する構成としてもよい。
【０１１８】
［Ｃ．第３実施形態］
本実施形態では、移動通信網がさらに基地局制御装置を有する場合について説明する。なお、本実施形態に係る移動通信システムにおいて、各装置は、特に示さない限り、上記第１実施形態と同様の構成を有し、同様の動作を行うものとする。また、本実施形態において、上記第１実施形態と共通する部分については同一の符号を使用するものとする。また、上記第１実施形態と共通する部分についてはその説明を省略するものとする。
【０１１９】
［Ｃ−１．実施形態の構成］
図１６は、この発明の第３実施形態に係る移動通信システム２の構成を例示するブロック図である。同図に示される移動通信システム２において、交換機４１と各基地局５０との間には、各基地局５０を制御する基地局制御装置８０が設けられている。
【０１２０】
また、本実施形態における管理サーバ３２が上記第１実施形態において説明した管理サーバ３０と異なるのは、移動通信網１１の通信量を検出する場合に、各基地局５０における無線チャネルの使用率を除いた、交換ネットワーク４０における通信量や当該管理サーバ３２に対するアクセス量に基づいて通信量を検出する点である。なお、本実施形態では、管理サーバ３２において上記通信量に従って生成されるトラフィック情報を「網トラフィック情報」と記載する。
【０１２１】
基地局制御装置８０は、交換機４１および当該交換機４１が配下に有する複数の基地局５０と接続されている。この基地局制御装置８０は、管理サーバ３２から交換機４１を介して送信されてくる網トラフィック情報と、当該基地局制御装置８０に接続されている各基地局５０から各々送信されてくる基地局５０の無線チャネル使用率情報とに基づいて、各基地局５０毎の個別トラフィック情報を生成し、各々の基地局５０に送信する。
【０１２２】
なお、無線チャネル使用率情報は、基地局５０が当該基地局５０のカバーする無線エリア内の各携帯電話機６０と無線通信を行うために用意された全無線チャネル数に占める使用中のチャネル数の割合を示すものである。
【０１２３】
次に、図１７は、図１６に示された基地局制御装置８０のハードウェア構成を例示するブロック図である。同図に示されるように、基地局制御装置８０は、メモリ８０１と、通信インタフェース８０２と、ＣＰＵ８０３とを有し、これらの各部はバス８０４によって接続されている。
【０１２４】
メモリ８０１には、ＣＰＵ８０３によって実行される各種プログラムなどが格納されている。また、このメモリ８０１は、網情報格納領域８０１ａと、基地局情報格納領域８０１ｂとを有する。網情報格納領域８０１ａには、図１８（ａ）に示されるように、管理サーバ３２から送信されてくる網トラフィック情報、基本周期情報Ｔ１、最大周期情報Ｔ２と、交換機４１から送信されてくるエリアＩＤとが格納される。また、基地局情報格納領域８０１ｂには、図１８（ｂ）に示されるように、当該基地局制御装置８０に接続された各基地局５０の基地局ＩＤ毎に、この基地局５０から受信した無線チャネル使用率情報が格納される。
【０１２５】
通信インタフェース８０２は、当該基地局制御装置８０と、交換機４１や各基地局５０との間で行われるデータ通信を制御する回路である。
【０１２６】
ＣＰＵ８０３は、メモリ８０１に格納されている各種プログラムを実行することにより、バス８０４を介して接続されている装置各部を制御する。このＣＰＵ８０３は、本実施形態に特有な処理として、個別トラフィック検出処理（図１９参照）を実行し、網トラフィック情報と各基地局５０の無線チャネル使用率情報とに基づいて、各基地局５０用の個別トラフィック情報を生成して各々の基地局５０に送信する。
【０１２７】
［Ｃ−２．実施形態の動作］
以下、本実施形態の動作について説明する。
まず、管理サーバ３２は、交換ネットワーク４０における通信量や、当該管理サーバ３２に対するアクセス量などに基づいて移動通信網１１の通信量を検出し、この通信量に基づいて“１”または“０”の網トラフィック情報を生成する。そして、管理サーバ３２は、網トラフィック情報、基本周期情報Ｔ１および最大周期情報Ｔ２を交換機４１に送信する。
【０１２８】
また、交換機４１は、管理サーバ３２から網トラフィック情報、基本周期情報Ｔ１および最大周期情報Ｔ２を受信すると、これらの情報と、エリアＩＤ格納領域４１１ａに格納されているロケーションエリアのエリアＩＤとを基地局制御装置８０に送信する。
【０１２９】
図１９は、基地局制御装置８０においてＣＰＵ８０３により実行される個別トラフィック検出処理の動作を説明するフローチャートである。この個別トラフィック検出処理は、例えば、タイマ割り込みなどによってＣＰＵ８０３により定期的に開始される。
【０１３０】
同図に示されるように、まず、ＣＰＵ８０３は、交換機４１から網トラフィック情報、基本周期情報Ｔ１、最大周期情報Ｔ２、エリアＩＤを受信したか否かを判別し（ステップＵ１０１）、これらの情報を受信していない場合は、ステップＵ１０３に移行する。また、ＣＰＵ８０３は、網トラフィック情報、基本周期情報Ｔ１、最大周期情報Ｔ２、エリアＩＤを受信したと判別した場合は、これらの情報をメモリ８０１の網情報格納領域８０１ａに格納する（ステップＵ１０２）。
【０１３１】
次いで、ＣＰＵ８０３は、当該基地局制御装置８０に接続されている各基地局５０から無線チャネル使用率情報を受信したか否かを判別し（ステップＵ１０３）、この情報を受信していない場合は、ステップＵ１０４に移行する。また、ＣＰＵ８０３は、いずれかの基地局５０から無線チャネル使用率情報を受信したと判別した場合は、この情報を当該基地局５０の基地局ＩＤと対応させてメモリ８０１の基地局情報格納領域８０１ｂに格納する（ステップＵ１０４）。
【０１３２】
この後、ＣＰＵ８０３は、各基地局５０毎に個別トラフィックを検出する処理を行う。まず、ＣＰＵ８０３は、個別トラフィックの検出を行う基地局５０を特定する（ステップＵ１０５）。次いで、ＣＰＵ８０３は、特定した基地局５０の基地局ＩＤに従って基地局情報格納領域８０１ｂを参照し、この基地局５０の無線チャネル使用率情報を取得する（ステップＵ１０６）。
【０１３３】
次いで、ＣＰＵ８０３は、網情報格納領域８０１ａから網トラフィック情報を取得する（ステップＵ１０７）。そして、ＣＰＵ８０３は、基地局５０の無線チャネル使用率情報と網トラフィック情報とに基づいて、この基地局５０用の個別トラフィック情報を算出する（ステップＵ１０８）。
【０１３４】
ここで、上記ステップＵ１０８における個別トラフィックの算出過程についてより具体的に説明する。
まず、管理サーバ３２から当該基地局制御装置８０に送信されてくる網トラフィック情報は、“１”または“０”の１ビットのデータである。網トラフィック情報が“１”の場合は、移動通信網１１において、交換ネットワーク４０の通信量あるいは管理サーバ３２に対するアクセス量が通信を規制しなければならないレベルにあることを示している。また、網トラフィック情報が“０”の場合は、交換ネットワーク４０の通信量および管理サーバ３２に対するアクセス量が通信を規制しなければならないレベルに達していないことを示している。
【０１３５】
また、各基地局５０から当該基地局制御装置８０に送信されてくる無線チャネル使用率情報は、例えば、当該使用率が６７％である場合は、“67 ”などといった数値データである。
【０１３６】
まず、ＣＰＵ８０３は、無線チャネル使用率情報の値と予め用意されたしきい値の値とを比較して、当該使用率の情報を“１”または“０”の２値データに変換する。すなわち、ＣＰＵ８０３は、無線チャネル使用率情報の値がしきい値の値以上であって、この基地局５０における無線チャネルの使用率が予め規定された使用率を超えており、通信を規制しなければならないレベルにあると判別した場合は、当該無線チャネル使用率情報の値を“１”に変換する。また、ＣＰＵ８０３は、無線チャネル使用率情報の値がしきい値の値よりも小さく、この基地局５０における無線チャネルの使用率が通信を規制しなければならないレベルに達していないと判別した場合は、当該無線チャネル使用率情報の値を“０”に変換する。
【０１３７】
次いで、ＣＰＵ８０３は、“１”または“０”の２値データに変換した無線チャネル使用率情報と、２値データである網トラフィック情報とに基づいて、個別トラフィック情報の値を算出する。この個別トラフィック情報の値は、“１”または“０”の２値データであって、図２０に示されるように、網トラフィック情報および無線チャネル使用率情報の両方の値が“０”であった場合に“０”が、網トラフィック情報または無線チャネル使用率情報のいずれか一方以上の値が“１”であった場合に“１”がセットされる。
【０１３８】
ここで、個別トラフィック情報の値が“１”の場合は、交換ネットワーク４０における通信量、管理サーバ３２に対するアクセス量、この基地局５０における無線チャネルの使用率の少なくとも１つが通信を規制するレベルに達している、すなわち、移動通信網１１が輻輳状態にあることを示している。また、個別トラフィックの情報値が“０”の場合は、交換ネットワーク４０における通信量、管理サーバ３２に対するアクセス量、この基地局５０における無線チャネルの使用率が全て通信を規制するレベルに達していない、すなわち、移動通信網１１が輻輳状態にないことを示している。
【０１３９】
この後、ＣＰＵ８０３は、まず、網情報格納領域８０１ａから基本周期情報Ｔ１、最大周期情報Ｔ２およびエリアＩＤを読み出す。そして、上記ステップＵ１０８において算出した個別トラフィック情報と、基本周期情報Ｔ１、最大周期情報Ｔ２およびエリアＩＤとを上記ステップＵ１０５において特定した基地局５０へ通信インタフェース８０２を介して送信する（ステップＵ１０９）。
【０１４０】
次いで、ＣＰＵ８０３は、他の基地局５０に対する個別トラフィック情報の検出処理が残っているか否かを判別する（ステップＵ１１０）。そして、ＣＰＵ８０３は、他の基地局５０に対する個別トラフィック情報の検出処理が残っていると判別した場合は、上記ステップＵ１０５に戻る。また、ＣＰＵ８０３は、他の基地局５０に対する個別トラフィック情報の検出処理が残っていないと判別した場合は、個別トラフィック検出処理を終了する。
【０１４１】
一方、基地局５０は、基地局制御装置８０から個別トラフィック情報、基本周期情報Ｔ１、最大周期情報Ｔ２およびエリアＩＤを受信すると、これらの情報を報知情報として含んだ制御信号を生成し、携帯電話機６０へ送信する。
【０１４２】
携帯電話機６０のＣＰＵ６０９は、周期的位置登録のための位置登録要求信号の送信タイミングに到達した場合に、基地局５０から受信した制御信号に含まれている個別トラフィック情報の値を参照する。そして、ＣＰＵ６０９は、当該個別トラフィック情報の値が“０”の場合、すなわち、移動通信網１１が輻輳状態にないと判別した場合は、直ちに無線通信部６０１から位置登録要求信号を含んだ制御信号を基地局５０へ送信させる。また、ＣＰＵ６０９は、個別トラフィック情報の値が“１”の場合、すなわち、移動通信網１０が輻輳状態にあると判別した場合は、基本周期情報Ｔ１以降、最大周期情報Ｔ２までの期間に限り、位置登録要求信号の送信タイミングを移動通信網１１の輻輳状態が解消されるまで延期する。
【０１４３】
以上説明したように本実施形態によれば、携帯電話機６０は、基地局制御装置８０から送られてくる個別トラフィック情報に応じて、周期的位置登録のための位置登録要求信号の送信タイミングを予め設定された猶予期間だけ延期することができる。したがって、周期的位置登録のための位置登録要求信号の送信タイミングを基地局５０単位で変更することができる。
【０１４４】
なお、本実施形態では、個別トラフィック情報に応じて周期的位置登録のための位置登録要求信号の送信タイミングを変更する場合について説明した。しかしながら、上記第２実施形態において説明したように、個別トラフィック情報に応じて周期的位置登録の基本周期情報Ｔ１および最大周期情報Ｔ２の値を可変制御する構成であってもよい。
【０１４５】
この場合、基地局制御装置８０は、管理サーバ３２から交換機４１を介して送信されてくる網トラフィック情報と、当該基地局制御装置８０に接続されている各基地局５０から各々送信されてくる基地局５０の無線チャネル使用率情報とに基づいて、各基地局５０毎に、基本周期情報Ｔ１および最大周期情報Ｔ２を決定し、該当する基地局５０に送信する。また、基地局５０は、基地局制御装置８０から基本周期情報Ｔ１および最大周期情報Ｔ２を受信すると、これらの情報を報知情報として含んだ制御信号を生成し、携帯電話機６０へ送信する。
【０１４６】
そして、携帯電話機６０のＣＰＵ６０９は、基地局５０から受信した基本周期情報Ｔ１および最大周期情報Ｔ２に応じた周期に従って、周期的位置登録のための位置登録要求信号を基地局５０に送信する。したがって、周期的位置登録の基本周期情報Ｔ１および最大周期情報Ｔ２を基地局５０単位で変更することができるようになる。
【０１４７】
［Ｄ．変形例］
以上、本発明の実施形態について説明したが、この実施形態はあくまでも例示であり、本発明の趣旨から逸脱しない範囲で様々な変形が可能である。変形例としては、例えば以下のようなものが考えられる。
【０１４８】
＜変形例１＞
上記第１実施形態において管理サーバ３０は、図７に示された網情報送信処理の代わりに、以下に述べる網情報送信処理（図２１参照）を実行する構成であってもよい。なお、この場合、管理サーバ３０のメモリ３０１内には、図３に示された周期情報格納テーブル３０１ａの代わりに、図１２に示された周期情報格納テーブル７０１ａが格納されているものとする。
【０１４９】
図２１は、管理サーバ３０においてＣＰＵ３０４により実行される網情報送信処理の変形例の動作を説明するフローチャートである。
同図に示されるように、まず、ＣＰＵ３０４は、移動通信網１０における通信量を検出する（ステップＶ１０１）。また、ＣＰＵ３０４は、検出した通信量の値に応じてトラフィック情報を決定する（ステップＶ１０２）。これらのステップＶ１０１およびＶ１０２の処理は、上記第１実施形態において述べた網情報送信処理（図７参照）のステップＳ１０１およびＳ１０２の処理と同様であるので説明を省略する。
【０１５０】
次いで、ＣＰＵ３０４は、上記ステップＶ１０１において算出された通信量の値と予め用意された複数のしきい値とを比較して、使用する基本周期情報Ｔ１および最大周期情報Ｔ２を指定するためのモードナンバーを決定する（ステップＶ１０３）。
【０１５１】
ここで、ＣＰＵ３０４は、検出した移動通信網１０の通信量が多い場合ほど、より時間幅の大きな基本周期情報Ｔ１および最大周期情報Ｔ２を指定するモードナンバーを選択する。これによりＣＰＵ３０４は、移動通信網１０における通信量が多い場合は、周期的位置登録の基本周期情報Ｔ１および最大周期情報Ｔ２をより大きな時間幅に設定し、移動通信網１０における通信量が少ない場合は、基本周期情報Ｔ１および最大周期情報Ｔ２をより小さな時間幅に設定することができる。
【０１５２】
次いで、ＣＰＵ３０４は、メモリ３０１内の周期情報格納テーブル７０１ａを参照し、上記ステップＵ１０３において決定したモードナンバーに対応する基本周期情報Ｔ１および最大周期情報Ｔ２を取得する（ステップＶ１０４）。
【０１５３】
この後、ＣＰＵ３０４は、上記ステップＶ１０４において取得した基本周期情報Ｔ１および最大周期情報Ｔ２と、上記ステップＶ１０２において決定されたトラフィック情報とを通信インタフェース３０２を介して各交換機４１に送信し（ステップＶ１０５）、網情報送信処理を終了する。
【０１５４】
このような構成とすれば、管理サーバ３０は、移動通信網１０のトラフィックに応じて周期的位置登録の基本周期情報Ｔ１および最大周期情報Ｔ２を決定し、各携帯電話機６０に通知することができる。これにより、例えば、移動通信網１０における通信量が多い場合は、周期的位置登録の周期をより大きな時間幅に設定することができる。よって、移動通信網１０の通信量が多い場合は、当該移動通信網１０に収容される各携帯電話機６０からの周期的位置登録を要求する無線信号の送信を極力抑え、移動通信網におけるトラフィックの集中を回避させることができる。
【０１５５】
但し、前述したように、管理サーバ３０から周期的位置登録の基本周期情報Ｔ１および最大周期情報Ｔ２が送信され、携帯電話機６０においてこの周期情報に応じて位置登録要求信号を送信するタイミングが訪れるのは、例えば、基本周期情報Ｔ１が６０分であったとすると、最低でも６０分以上先のこととなる。したがって、本変形例における制御構成は、周期的位置登録の周期が、例えば１０分や１５分などといった短時間である場合に特に有効である。
【０１５６】
＜変形例２＞
上記第１〜第３実施形態では、移動通信網１０，１１における通信量の検出処理や、周期的位置登録の周期を決定する処理を位置登録の管理を行う管理サーバ３０，３１，３２において実行する構成とした。しかしながら、これらの処理を行う装置は、位置登録の管理サーバ３０，３１，３２に限定されるものではない。例えば、上述した移動通信網１０，１１における通信量の検出処理や、周期的位置登録の周期を決定する処理のみを実行する専用のサーバを移動通信網１０，１１内に設置する構成であってもよい。また、これらの処理をＬＲ２０で行うようにしてもよい。
【０１５７】
＜変形例３＞
上記第１および第３実施形態では、基本周期情報Ｔ１および最大周期情報Ｔ２が固定値である。したがって、上記第１実施形態において基本周期情報Ｔ１および最大周期情報Ｔ２は、管理サーバ３０，３２に格納されているのではなく、各基地局５０のメモリ５０１に格納されいている構成であってもよい。このような構成であれば、管理サーバ３０，３２と各基地局５０間のデータ通信容量が低減できる。
【０１５８】
＜変形例４＞
上記第１実施形態では、周期的位置登録の基本周期情報Ｔ１および最大周期情報Ｔ２の値が移動通信網１０全体で統一された固定値である場合について説明した。しかしながら、基本周期情報Ｔ１および最大周期情報Ｔ２の値は、移動通信網１０全体で統一されている必要はない。例えば、基本周期情報Ｔ１および最大周期情報Ｔ２の値は、ロケーションエリア単位で統一されていている構成であってもよい。また、上記第２実施形態では、移動通信網１０における通信量に応じて周期的位置登録の基本周期情報Ｔ１および最大周期情報Ｔ２の値を移動通信網１０全体で統一して可変制御する場合について説明した。しかしながら、この場合も上述した場合と同様に、可変制御される基本周期情報Ｔ１および最大周期情報Ｔ２の値は、移動通信網１０全体で統一されている必要はなく、例えば、ロケーションエリア単位で統一されていればよい。
【０１５９】
＜変形例５＞
上記第３実施形態では、１台の基地局制御装置８０が複数の基地局５０について制御を行う場合について説明した。しかしながら、基地局制御装置８０は、各基地局５０毎に設置されている構成であってもよい。また、基地局制御装置８０の機能、すなわち、各基地局５０毎に個別トラフィック情報を生成して通知する機能が交換機４１あるいは基地局５０に備わっている構成であってもよい。また、基地局５０単位でなく、交換機４１単位で周期的位置登録のための位置登録要求信号の送信タイミング、あるいは周期的位置登録の基本周期情報Ｔ１および最大周期情報Ｔ２を変更する構成であってもよい。
【０１６０】
＜変形例６＞
上記第１〜第３実施形態では、通信端末として携帯電話機６０を用いた場合について説明した。しかしながら本発明は、例えば、移動通信網１０，１１を介してデータ通信を行うことが可能なＰＤＡ（Personal Digital Assistant）やモバイルコンピュータなどに対しても適用可能である。また、例えば、商品販売情報を取得するために自動販売機に備え付けられた移動通信網１０を介してデータ通信を行うことが可能な通信ユニットのように、移動しない通信端末に対しても本発明を適用可能である。また、本発明は、例えば、ＰＤＣ（Personal Digital Cellular）方式の移動通信システムや、ＰＨＳ（Personal Handyphone System：登録商標）の移動通信システムなどに対して適用可能である。
【図面の簡単な説明】
【０１６１】
【図１】この発明の第１実施形態に係る管理サーバおよび携帯電話機を含む移動通信システムの構成を例示するブロック図である。
【図２】同実施形態に係る管理サーバのハードウェア構成を例示するブロック図である。
【図３】同実施形態に係る管理サーバにおいて、メモリ内の周期情報格納テーブルのデータ構成を例示する図である。
【図４】同実施形態に係る交換機のハードウェア構成を例示するブロック図である。
【図５】同実施形態に係る基地局のハードウェア構成を例示するブロック図である。
【図６】同実施形態に係る携帯電話機のハードウェア構成を例示するブロック図である。
【図７】同実施形態に係る管理サーバにおいて、ＣＰＵにより実行される網情報送信処理の動作を説明するフローチャートである。
【図８】同実施形態に係る基地局において、ＣＰＵにより実行される制御信号送信処理の動作を説明するフローチャートである。
【図９】同実施形態に係る携帯電話機において、ＣＰＵにより実行される周期的位置登録処理の動作を説明するフローチャートである。
【図１０】同実施形態に係る基地局において、ＣＰＵにより実行される制御信号受信処理の動作を説明するフローチャートである。
【図１１】この発明の第２実施形態に係る管理サーバのハードウェア構成を例示するブロック図である。
【図１２】同実施形態に係る管理サーバにおいて、メモリ内の周期情報格納テーブルのデータ構成を例示する図である。
【図１３】同実施形態に係る管理サーバにおいて、メモリ内の時間帯管理テーブルのデータ構成を例示する図である。
【図１４】同実施形態に係る管理サーバにおいて、メモリ内の曜日管理テーブルのデータ構成を例示する図である。
【図１５】同実施形態に係る管理サーバにおいて、ＣＰＵにより実行される周期決定処理の動作を説明するフローチャートである。
【図１６】この発明の第３実施形態に係る移動通信システムの構成を例示するブロック図である。
【図１７】同実施形態に係る基地局制御装置のハードウェア構成を例示するブロック図である。
【図１８】同実施形態に係る基地局制御装置において、メモリ内の網情報格納領域および基地局情報格納領域の記憶内容を例示する図である。
【図１９】同実施形態に係る基地局制御装置において、ＣＰＵにより実行される個別トラフィック検出処理の動作を説明するフローチャートである。
【図２０】図１９に示された個別トラフィック検出処理において網トラフィック情報と無線チャネル使用率情報とに基づいて決定される個別トラフィック情報を説明するための図である。
【図２１】この発明の第１実施形態に係る管理サーバにおいて、ＣＰＵにより実行される網情報送信処理の変形例の動作を説明するフローチャートである。
【符号の説明】
【０１６２】
１，２…移動通信システム、１０，１１…移動通信網、２０…ロケーションレジスタ（ＬＲ）、３０，３１，３２…管理サーバ、４０…交換ネットワーク、４１…交換機、５０…基地局、６０…携帯電話機、８０…基地局制御装置、３０１…メモリ、３０１ａ…周期情報格納テーブル、３０２…通信インタフェース、３０３…ＬＲ用インタフェース、３０４…ＣＰＵ、３０５…バス、４１１…メモリ、４１１ａ…エリアＩＤ格納領域、４１２…通信インタフェース、４１３…ＣＰＵ、４１４…バス、５０１…メモリ、５０２…通信インタフェース、５０３…無線通信部、５０３ａ…アンテナ、５０４…ＣＰＵ、５０５…バス、６０１…無線通信部、６０１ａ…アンテナ、６０２…操作部、６０３…通話処理部、６０４…表示部、６０５…記憶部、６０６…ＲＯＭ、６０７…ＲＡＭ、６０８…不揮発性メモリ、６０８ａ…端末ＩＤ格納領域、６０８ｂ…在圏エリアＩＤ格納領域、６０９…ＣＰＵ、６１０…バス、７０１…メモリ、７０１ａ…周期情報格納テーブル、７０１ｂ…時間帯管理テーブル、７０１ｃ…曜日管理テーブル、８０１…メモリ、８０１ａ…格納領域、８０１ｂ…格納領域、８０２…通信インタフェース、８０３…ＣＰＵ、８０４…バス。
【図１】
0004397916.tif 000002
【図２】
0004397916.tif 000003
【図３】
0004397916.tif 000004
【図４】
0004397916.tif 000005
【図５】
0004397916.tif 000006
【図６】
0004397916.tif 000007
【図７】
0004397916.tif 000008
【図８】
0004397916.tif 000009
【図９】
0004397916.tif 000010
【図１０】
0004397916.tif 000011
【図１１】
0004397916.tif 000012
【図１２】
0004397916.tif 000013
【図１３】
0004397916.tif 000014
【図１４】
0004397916.tif 000015
【図１５】
0004397916.tif 000016
【図１６】
0004397916.tif 000017
【図１７】
0004397916.tif 000018
【図１８】
0004397916.tif 000019
【図１９】
0004397916.tif 000020
【図２０】
0004397916.tif 000021
【図２１】
0004397916.tif 000022